(57)【要約】【課題】開口部を開閉する蓋本体を閉じるときに生じる振動や騒音を、低コストで抑える。【解決手段】配線カバー装置１０は、カバー用切欠き凹部１５を開閉可能に塞ぐ配線カバー２と、カバー用切欠き凹部１５の周縁部に設けられ、配線カバー２を支持軸７２周りに回動可能に支持する枠部材３と、配線カバー２に形成され、天板１１の裏面側から離間する方向に向かって突出する突出片６８と、枠部材３に形成され、配線カバー２が支持軸７２周りに回動して開状態から閉状態に移行するとき、突出片６８が摺動することで、配線カバー２の回動速度を減速させる摺接部３７２と、を備える。【選択図】図１３
2018075112.tif 000002
【特許請求の範囲】
【請求項１】
板状体の板厚方向に貫通する開口部に設けられ、前記開口部を開閉可能とする開閉蓋装置であって、
前記開口部を開閉可能に塞ぐ蓋本体と、
前記開口部の周縁部に設けられ、前記蓋本体を支持軸周りに回動可能に支持する枠部材と、
前記蓋本体に形成され、前記板状体の裏面側から離間する方向に向かって突出する突出片と、
前記枠部材に形成され、前記蓋本体が前記支持軸周りに回動して開状態から閉状態に移行するとき、前記突出片が摺動することで、前記蓋本体の回動速度を減速させる摺接部材と、
を備える開閉蓋装置。
【請求項２】
前記突出片は、前記蓋本体において、前記支持軸の軸線方向の両端部に設けられ、
前記摺接部材は、前記枠部材において、前記支持軸の軸線方向の両端部に設けられている、請求項１に記載の開閉蓋装置。
【請求項３】
前記突出片と前記摺接部材とは、前記蓋本体が前記閉状態であるときに、前記支持軸を中心とした径方向において互いに対向するよう配置され、
前記突出片及び前記摺接部材の一方は、前記支持軸を中心とした径方向に弾性変形可能である、請求項１または２に記載の開閉蓋装置。
【請求項４】
前記突出片及び前記摺接部材の一方は、前記蓋本体の自重が作用したときに前記径方向に弾性変形可能である、請求項３に記載の開閉蓋装置。
【請求項５】
前記突出片は、前記蓋本体が前記閉状態であるときに、前記摺接部材に係合可能な係止爪を有している、請求項１から４のいずれか一項に記載の開閉蓋装置。
【請求項６】
前記枠部材は、
前記蓋本体を前記板状体に沿い、かつ前記支持軸に交差する方向にスライド可能に支持するとともに、
前記蓋本体のスライド方向に延びるガイド部を有し、
前記蓋本体は、前記蓋本体が前記スライド方向にスライドするときに、前記突出片が前記ガイド部に摺接する、請求項１から５のいずれか一項に記載の開閉蓋装置。
【請求項７】
前記ガイド部は、前記蓋本体が前記閉状態であるときに、前記蓋本体に突き当たることで前記蓋本体の閉方向への移動を規制する、請求項６に記載の開閉蓋装置。
【請求項８】
前記蓋本体が前記スライド方向にスライドするとき、前記蓋本体は、前記突出片が前記ガイド部に摺接することで、全開状態よりも開度の小さい微開状態が保持される、請求項６または７に記載の開閉蓋装置。
【請求項９】
開口部が形成された天板と、
前記開口部に開閉可能に設けられた、請求項１から８のいずれか一項に記載の開閉蓋装置と、を備える天板付什器。
【発明の詳細な説明】
【技術分野】
【０００１】
本発明は、開閉蓋装置、天板付什器に関する。
【背景技術】
【０００２】
デスク等の天板付什器において、天板上に設置する電子機器等の配線を天板の下方に導くため、天板に開口部を備えたものがある。この開口部を通して配線等を天板の上下方向に挿通させることで、天板付什器の周辺が配線で煩雑になるのを抑えることができる。
【０００３】
例えば特許文献１に、天板に形成した開口部に、この開閉蓋を開閉可能とする開閉蓋（ダクトカバー）を備えた構成が開示されている。このような構成によれば、開口部に配線を挿通させるとき等に開閉蓋を開き、不必要時には開閉蓋を閉じて開口部を塞いでおくことで、体裁を向上させることができる。
【先行技術文献】
【特許文献】
【０００４】
【特許文献１】特開２０１４−１４４２２５号公報
【発明の概要】
【発明が解決しようとする課題】
【０００５】
しかしながら、開閉蓋を閉じるときに、開閉蓋が、開口部の周縁部に設けられたストッパ片に突き当たると、振動や騒音が生じる場合がある。特許文献１に開示されたような構成においては、ストッパ片に合成樹脂製の緩衝部材を外嵌することで、その振動や騒音を抑えているが、さらなる改善が求められる。
これに対し、開閉蓋と閉じるときの振動や騒音を抑えるために、衝撃吸収ダンパー装置等を設けることも考えられるが、コストが上昇してしまう。
そこでなされた本発明の目的は、開口部を開閉する開閉蓋を閉じるときに生じる振動や騒音を、低コストで抑えることのできる開閉蓋装置、天板付什器を提供することである。
【課題を解決するための手段】
【０００６】
本発明は、上記課題を解決するため、以下の手段を採用する。
この発明に係る開閉蓋装置は、板状体の板厚方向に貫通する開口部に設けられ、前記開口部を開閉可能とする開閉蓋装置である。前記開閉蓋装置は、前記開口部を開閉可能に塞ぐ蓋本体と、前記開口部の周縁部に設けられ、前記蓋本体を支持軸周りに回動可能に支持する枠部材と、前記蓋本体に形成され、前記板状体の裏面側から離間する方向に向かって突出する突出片と、前記枠部材に形成され、前記蓋本体が前記支持軸周りに回動して開状態から閉状態に移行するとき、前記突出片が摺動することで、前記蓋本体の回動速度を減速させる摺接部材と、を備える。
【０００７】
このような構成によれば、蓋本体が支持軸周りに回動して開状態から閉状態に移行するとき、突出片と摺接部材とが摺動することで、突出片と摺接部材との間に摩擦抵抗力が生じる。この摩擦抵抗力によって蓋本体の回動速度が減速する。これによって、蓋本体の閉動作を、コストの掛かる衝撃吸収ダンパー等を用いることなく、スムーズなものとするとともに、蓋本体が閉じるときに枠部材等に衝突して、振動や騒音が生じるのを抑えることができる。
【０００８】
また、この発明に係る開閉蓋装置は、上記開閉蓋装置において、前記突出片は、前記蓋本体において、前記支持軸の軸線方向の両端部に設けられ、前記摺接部材は、前記枠部材において、前記支持軸の軸線方向の両端部に設けられているようにしてもよい。
【０００９】
このような構成によれば、蓋本体が開状態であるとき、蓋本体と枠部材との隙間に、突出片や摺接部材が張り出すことがなく、この隙間に配線等を通す際に邪魔になるのを抑えることができる。
【００１０】
また、この発明に係る開閉蓋装置は、上記開閉蓋装置において、前記突出片と前記摺接部材とは、前記蓋本体が前記閉状態であるときに、前記支持軸を中心とした径方向において互いに対向するよう配置され、前記突出片及び前記摺接部材の一方は、前記支持軸を中心とした径方向に弾性変形可能であるようにしてもよい。
【００１１】
このような構成によれば、蓋本体が支持軸周りに回動して開状態から閉状態に移行するときに、突出片と摺接部材とが摺動すると、突出片または摺接部材が弾性変形する。突出片または摺接部材が弾性変形すると、元の形状に戻ろうとする復元力（反発力）によって、突出片と摺接部材との間に生じる摩擦力が大きくなる。これによって、蓋本体の回動速度が、より効果的に減じられる。
【００１２】
また、この発明に係る開閉蓋装置は、上記開閉蓋装置において、前記突出片及び前記摺接部材の一方は、前記蓋本体の自重が作用したときに前記径方向に弾性変形可能であるようにしてもよい。
【００１３】
このような構成によれば、蓋本体は、その自重のみによって閉じることが可能となる。したがって、蓋本体を閉方向に押し込まずとも、蓋本体が自動的に閉まることとなる。
【００１４】
また、この発明に係る開閉蓋装置は、上記開閉蓋装置において、前記突出片は、前記蓋本体が前記閉状態であるときに、前記摺接部材に係合可能な係止爪を有しているようにしてもよい。
【００１５】
このような構成によれば、蓋本体が閉状態となったときに、突出片の係止爪が摺接部材に係合することで、蓋本体を閉状態にロックすることができる。
【００１６】
また、この発明に係る開閉蓋装置は、上記開閉蓋装置において、前記枠部材は、前記蓋本体を前記板状体に沿い、かつ前記支持軸に交差する方向にスライド可能に支持するとともに、前記蓋本体のスライド方向に延びるガイド部を有し、前記蓋本体は、前記蓋本体が前記スライド方向にスライドするときに、前記突出片が前記ガイド部に摺接するようにしてもよい。
【００１７】
このような構成によれば、蓋本体がスライドするときに、蓋本体は、支持軸と、ガイド部に摺接する突出片とによって、安定的に支持される。
【００１８】
また、この発明に係る開閉蓋装置は、上記開閉蓋装置において、前記ガイド部は、前記蓋本体が前記閉状態であるときに、前記蓋本体に突き当たることで前記蓋本体の閉方向への移動を規制するようにしてもよい。
【００１９】
このような構成によれば、閉状態の蓋本体が、支持軸とガイド部とによって強固に支持される。
【００２０】
また、この発明に係る開閉蓋装置は、上記開閉蓋装置において、前記蓋本体が前記スライド方向にスライドするとき、前記蓋本体は、前記突出片が前記ガイド部に摺接することで、全開状態よりも開度の小さい微開状態が保持されるようにしてもよい。
【００２１】
このような構成によれば、蓋本体をスライドするとき、蓋本体を、全開状態よりも開度の小さい微開状態とすることで、蓋本体と枠部材との隙間に配線等を挿通させたままの状態とすることができる。
【００２２】
この発明に係る天板付什器は、開口部が形成された天板と、前記開口部に開閉可能に設けられた、上記したような開閉蓋装置と、を備える。
【００２３】
このような構成によれば、蓋本体の閉動作を、スムーズなものとするとともに、蓋本体が閉じるときに枠部材等に衝突して、振動や騒音が生じるのを抑えることができる。
【発明の効果】
【００２４】
この発明に係る開閉蓋装置、天板付什器によれば、開口部を開閉する蓋本体を閉じるときに生じる振動や騒音を、低コストで抑えることが可能となる。
【図面の簡単な説明】
【００２５】
【図１】この発明の一実施形態に係る天板付什器の全体構成を示す斜視図である。
【図２】上記天板付什器に設けた配線カバー装置を示す斜視図である。
【図３】上記配線カバー装置の配線カバーを開いた状態を示す斜視断面図である。
【図４】上記配線カバー装置の構成を示す斜視展開図である。
【図５】上記配線カバー装置を閉状態としたときの断面図である。
【図６】図５の要部を示す拡大断面図である。
【図７】上記配線カバーを構成する蓋基体の構成を示す斜視図である。
【図８】上記配線カバーを構成する弾性閉塞カバーを示す斜視図である。
【図９】上記配線カバーを構成する枠部材を示す斜視図である。
【図１０】上記枠部材に形成したガイド溝とスライド部材との関わりを示す斜視図である。
【図１１】上記ガイド溝、スライド部材、蓋基体の関係を示す斜視展開図である。
【図１２】上記配線カバーをスライドさせた状態を示す断面図である。
【図１３】上記配線カバーを開状態から閉状態に移行させる途中の状態を示す断面図である。
【図１４】上記配線カバーを開状態としたときの断面図である。
【図１５】上記天板付什器へのオプション部材の把持部材の取り付け方法の流れを示す斜視図である。
【発明を実施するための形態】
【００２６】
以下、本発明の実施の形態による開閉蓋装置、天板付什器について、図面に基づいて説明する。
図１は、この発明の一実施形態に係る天板付什器の全体構成を示す斜視図である。図２は、上記天板付什器に設けた配線カバー装置を示す斜視図である。図３は、上記配線カバー装置の配線カバーを開いた状態を示す斜視断面図である。図４は、上記配線カバー装置の構成を示す斜視展開図である。図５は、上記配線カバー装置を閉状態としたときの断面図である。図６は、図５の要部を示す拡大断面図である。図７は、上記配線カバーを構成する蓋基体の構成を示す斜視図である。図８は、上記配線カバーを構成する弾性閉塞カバーを示す斜視図である。図９は、上記配線カバーを構成する枠部材を示す斜視図である。図１０は、上記枠部材に形成したガイド溝とスライド部材との関わりを示す斜視図である。図１１は、上記ガイド溝、スライド部材、蓋基体の関係を示す斜視展開図である。図１２は、上記配線カバーをスライドさせた状態を示す断面図である。図１３は、上記配線カバーを開状態から閉状態に移行させる途中の状態を示す断面図である。図１４は、上記配線カバーを開状態としたときの断面図である。図１５は、上記天板付什器へのオプション部材の把持部材の取り付け方法の流れを示す斜視図である。
【００２７】
図１に示すように、デスク（天板付什器）１は、天板（板状体）１１と、床面Ｆ上に互いに間隔をあけて配置され、天板１１を昇降可能に支持し、上下方向Ｄｖに伸縮可能に構成された一対の天板支持脚１２，１２と、天板１１の上面（作業面）１１ａに開閉可能に設けられた配線カバー装置（開閉蓋装置）１０と、を有している。
【００２８】
ここで、本実施の形態では、一対の天板支持脚１２，１２が床面Ｆで離間する方向を幅方向Ｄｈといい、上方から見た平面視で幅方向Ｄｈに直交する方向を前後方向Ｄｆという。また、デスク１の前後方向Ｄｆにおいて、使用者が椅子に座ってデスク１に向かう側を前方、前側といい、その反対側を後方、後側という。
【００２９】
天板支持脚１２は、下部筒状体１２Ａと、上部筒状体１２Ｂと、を有している。下部筒状体１２Ａ及び上部筒状体１２Ｂは、それぞれ上下方向Ｄｖに延びる四角形筒状に形成されている。下部筒状体１２Ａの内部に上部筒状体１２Ｂが収納されている。天板支持脚１２は、モータ等の駆動機構（不図示）を備えており、この駆動機構により下部筒状体１２Ａに対して上部筒状体１２Ｂをそれぞれ上下方向Ｄｖに移動させることで、天板支持脚１２を上下方向Ｄｖに伸縮させることができる。
【００３０】
天板支持脚１２の下端部には、下部支持体１３が設けられている。下部支持体１３は、床面Ｆ上に配置され、床面Ｆに平行で前方及び後方のそれぞれに延びている。下部支持体１３の下面には、下部支持体１３の高さ及びレベルの調整を行うアジャスター１３ａが設けられている。天板支持脚１２は、下部支持体１３において中央部分からやや後方側に配置されている。天板支持脚１２の下部筒状体１２Ａは、下部支持体１３の下面側からボルト等により固定されている。
【００３１】
天板支持脚１２の上端部には、天板１１を下方から支持する上部支持体１４が設けられている。上部支持体１４は、上部筒状体１２Ｂの上端部に固定され、前後方向Ｄｆに延びている。天板１１は、上部支持体１４の下方からボルト等により固定されている。
【００３２】
図１、図２に示すように、天板１１における幅方向Ｄｈの中央部の後端（外周端部）１１ｒには、天板１１の板厚方向（上下方向Ｄｖ）に貫通するとともに、天板１１の外方である後方に向けて開口するカバー用切欠き凹部（開口部）１５が形成されている。カバー用切欠き凹部１５は、幅方向Ｄｈに長い長方形状の開口である。このカバー用切欠き凹部１５には、配線カバー装置１０が嵌め込まれている。配線カバー装置１０は、後述する配線カバー（蓋本体）２を備え、この配線カバー２が、図２、図３に示すように回動することで、カバー用切欠き凹部１５によって形成される開口を開閉可能となっている。
【００３３】
図４に示すように、配線カバー装置１０は、配線カバー２と、配線カバー２を回動可能、かつ前後方向Ｄｆにスライド自在に支持する枠部材３と、を備えている。
【００３４】
図５に示すように、配線カバー２は、カバー用切欠き凹部１５の上方及び後方を開閉可能に塞ぐものであり、カバー本体２０と、蓋基体５０と、弾性閉塞カバー６０と、を備えている。
配線カバー２は、蓋基体５０の少なくとも上面を覆うようにカバー本体２０が外嵌され、カバー本体２０及び蓋基体５０の前端部から前方に向けて突出する弾性閉塞カバー６０が装着された構成となっている。
【００３５】
カバー本体２０は、カバー天面板２１と、蓋基体５０の後壁部５２を覆うカバー後面板２２と、カバー天面板２１の前端下面に設けられるカバー係止片２３と、を有している。
本実施の形態では、カバー本体２０は、スチール等の剛性を有する金属製の材料によって形成されている。
【００３６】
カバー天面板２１は、配線カバー２でカバー用切欠き凹部１５を閉塞した閉状態でデスク１の天板１１の上面１１ａに連続した面を形成する。
カバー後面板２２は、配線カバー２でカバー用切欠き凹部１５を閉塞した閉状態（さらに、前方に向けてスライドしていない状態）でデスク１の天板１１の後端１１ｒ（図１、図２参照）に連続した面を形成する。カバー後面板２２は、カバー後面板２２の下端から前方に延び、蓋基体５０の後端下面を覆う後方係止壁２４を一体に備えている。後方係止壁２４には、蓋基体５０の後方下面に形成される爪部５０ｔが係止される係止穴２４ａが形成されている。
【００３７】
図６に示すように、カバー係止片２３は、配線カバー２を閉塞した状態において、カバー天面板２１の下面から下方に延びる縦壁２３１と、縦壁２３１の下端から前方に延びる張り出し壁２３２と、縦壁２３１の上端から前方に延びる延出部２３４とを有している。
カバー係止片２３は、カバー天面板２１の下面に延出部２３４を沿わせた状態で接合されている。
【００３８】
図５、図７に示すように、蓋基体５０は、外嵌されたカバー本体２０のカバー天面板２１の下方に平行に配置される底壁５１と、底壁５１の後端から下方に延びる後壁部５２と、底壁５１の幅方向Ｄｈの両側に位置する側壁部５３、５３と、一対の側壁部５３の前端部同士を連結する蓋係合部５４と、側壁部５３の後端側に設けられる軸支穴５５と、を有している。
【００３９】
底壁５１には、その上面から立ち上がり、幅方向Ｄｈに沿って延びる複数のリブ５１ｒ、５１ｒが設けられている。後壁部５２と両側壁部５３との上端は、蓋基体５０に外嵌されたカバー本体２０のカバー天面板２１の下面に突き当たる。
【００４０】
図６に示すように、蓋係合部５４は、幅方向Ｄｈに延び互いに前後方向Ｄｆに離間して設けられる前リブ５４１、後リブ５４２と、前リブ５４１及び後リブ５４２の上端同士を全長にわたって連結する連結壁５４３と、を有している。
後リブ５４２は、底壁５１の前端５１ｆとの間に所定間隔をあけて配置されている。この所定間隔は、カバー係止片２３の張り出し壁２３２が挿入でき、かつ縦壁２３１の厚さ寸法に略一致する寸法に設定されている。
【００４１】
また、蓋係合部５４には、カバー本体２０のカバー係止片２３が外側から嵌め込まれるようになっている。具体的には、蓋係合部５４にカバー係止片２３が外嵌した状態において、連結壁５４３にカバー係止片２３の延出部２３４が上方から当接するとともに、後リブ５４２にカバー係止片２３の縦壁２３１が後方から当接している。
このようにして、カバー係止片２３を蓋係合部５４の外側から嵌め込むことで、カバー本体２０が蓋基体５０に取り付けられる。
なお、蓋基体５０に取り付けられるカバー本体２０は、カバー天面板２１の前端部２１ｂが、蓋基体５０の蓋係合部５４の前リブ５４１よりも前方に突出している。
【００４２】
弾性閉塞カバー６０は、配線カバー２がデスク１のカバー用切欠き凹部１５を閉塞した状態において、カバー本体２０のカバー天面板２１の前端部２１ｂとカバー用切欠き凹部１５の前端面との間の隙間を覆うように配置されている。
図８に示すように、弾性閉塞カバー６０は、幅方向Ｄｈに延びるとともに蓋基体５０に装着される装着基部６１と、装着基部６１の前端部６１ａから前方に突出してクシ歯状に形成される複数の弾性腕材６２、６２、…と、装着基部６１の幅方向Ｄｈの両端部分のそれぞれの前側に連設する摘み部６３と、を備えている。
【００４３】
図６に示すように、装着基部６１は、弾性腕材６２よりも、上下方向Ｄｖの厚さ寸法が大きく形成されている。これにともない、装着基部６１の下面には、弾性腕材６２側から後方に向かって漸次下方に傾斜する傾斜面６１ｆが形成されている。
また、装着基部６１には、その上面に、下方に向かって窪み、幅方向Ｄｈに連続する上面係合溝６６が形成されている。さらに、装着基部６１には、その後端面に、前方に向かって窪み、幅方向Ｄｈに連続する後面係合溝６７が形成されている。
【００４４】
このような弾性閉塞カバー６０は、蓋基体５０の蓋係合部５４に形成された前リブ５４１、後リブ５４２、及び連結壁５４３によって囲まれた部分に、装着基部６１が嵌め込まれている。具体的には、装着基部６１の上面係合溝６６に、前リブ５４１が挿入され、装着基部６１に形成された後面係合溝６７には、カバー係止片２３の張り出し壁２３２が挿入されている。
このようにして、弾性閉塞カバー６０は、装着基部６１が、蓋基体５０とカバー本体２０とによって強固に保持されている。
このとき、弾性閉塞カバー６０の装着基部６１は、前リブ５４１と後リブ５４２とによって前後方向Ｄｆに挟み込まれることで、前後方向Ｄｆの移動が規制されている。また、装着基部６１は、連結壁５４３と張り出し壁２３２とによって上下方向Ｄｖに挟み込まれることで、上下方向Ｄｖの移動が規制されている。
【００４５】
また、図３、図５、図６に示すように、弾性閉塞カバー６０の装着基部６１には、幅方向Ｄｈの両端部に、突出片６８が形成されている。この突出片６８は、装着基部６１の下面から下方（天板１１の上面１１ａ（表面）側から裏面側）に向かって延びる基部６８１と、基部６８１の下端から前方に向かって突出する係止爪６８２と、を一体に備える。
図６に示すように、係止爪６８２は、その前端部６８２ａに向かって、上下方向Ｄｖの厚さが漸次小さくなるよう形成されている。係止爪６８２の下面には、前端部６８２ａに向かって上方に傾斜した湾曲面６８２ｆが形成されている。
【００４６】
このような弾性閉塞カバー６０は、ゴム系材料または軟質樹脂材料等から形成され、弾性腕材６２、６２、…、及び突出片６８は弾性変形可能とされている。
ここで、図３に示すように、突出片６８は、平断面視形状が、幅方向Ｄｈに長く、前後方向Ｄｆに短い横長の長方形状とされている。これによって、突出片６８は、前後方向に弾性変形しやすくなっている。
【００４７】
図９に示すように、枠部材３は、平面視コ字状をなし、カバー用切欠き凹部１５の周縁部に対向する前壁部３１及び一対の側壁部３２，３２を有している。
前壁部３１は、幅方向Ｄｈに延びている。前壁部３１には、ビス（図示無し）が挿通される貫通孔３１ｈが形成されている。
一対の側壁部３２，３２は、前壁部３１の幅方向Ｄｈの両端部から前後方向Ｄｆに延び、幅方向Ｄｈにおいて間隔を空けて対向している。
【００４８】
図３、図９に示すように、これら前壁部３１及び側壁部３２，３２の上端部には、カバー用切欠き凹部１５から天板１１の上面１１ａに沿って外方に向かって突出する縁部３３が形成されている。この縁部３３は、前壁部３１及び側壁部３２，３２をカバー用切欠き凹部１５の周縁部に沿わせた状態で、天板１１の上面１１ａ上に係止される。
【００４９】
また、図９に示すように、側壁部３２，３２の後端部には、それぞれ、幅方向Ｄｈの外側に広がって延びる後壁部３４が一体に形成されている。この後壁部３４は、天板１１の後端１１ｒに突き当たる。
【００５０】
側壁部３２，３２の下端には、幅方向Ｄｈの外側に広がって伸びるステー３５が一体に形成されている。このステー３５には、天板１１の下面に固定するためのビス（図示無し）が挿通される貫通孔３５ｈが形成されている。
このような枠部材３は、前壁部３１及び側壁部３２，３２をカバー用切欠き凹部１５の周縁部に対向させた状態で、前壁部３１に形成された貫通孔３１ｈと、ステー３５に形成された貫通孔３５ｈとに、それぞれビス（図示無し）を挿通させて天板１１に締結することで固定されている。
【００５１】
図９、図１０に示すように、上記枠部材３の一対の側壁部３２，３２には、それぞれ、カバー用切欠き凹部１５の幅方向Ｄｈの内側を向く面に、前後方向Ｄｆに延びるガイド溝３６がそれぞれ形成されている。
【００５２】
図１０、図１１に示すように、このような枠部材３に対し、配線カバー２は、一対のスライド部材７０、７０を介し、回動可能、かつ前後方向Ｄｆにスライド可能に連結されている。スライド部材７０は、枠部材３の側壁部３２に形成されたガイド溝３６内に収容されるベース部７１と、ベース部７１の後端に設けられた支持軸７２と、を一体に備える。
【００５３】
ベース部７１は、ガイド溝３６の内側に収まるよう、ガイド溝３６の上下方向Ｄｖの幅よりも僅かに小さく、ガイド溝３６の前後方向Ｄｆの長さよりも短く形成されている。このベース部７１は、ガイド溝３６内に収容された状態で、前後方向Ｄｆにスライド可能に設けられている。ここで、スライド部材７０は、ベース部７１の上下に設けられた係止突起７１ａが、ガイド溝３６内に形成された被係止スリット（図示無し）に係止されることで、ガイド溝３６から脱落しない状態で、ガイド溝３６に沿って前後方向Ｄｆにスライド自在とされている。
【００５４】
支持軸７２は、ベース部７１において、カバー用切欠き凹部１５の幅方向Ｄｈの内側に向かって突出して形成されている。この支持軸７２は、配線カバー２の蓋基体５０に形成された軸支穴５５に挿入され、軸支穴５５内で回動可能に連結されている。
このようなスライド部材７０は、支持軸７２の先端部に設けられた係止爪７２ａが、軸支穴５５内に設けられた被係止部（図示無し）に係止されることで、軸支穴５５からの脱落が防止された状態で、軸支穴５５に回動自在に連結されている。
【００５５】
このようにして、配線カバー２は、支持軸７２を介して、スライド部材７０に回動自在に連結されることで、支持軸７２周りに回動自在とされている。すなわち、支持軸７２は、配線カバー２をカバー用切欠き凹部１５において互いに対向する対辺を結ぶ幅方向Ｄｈに延びる支持軸７２周りに回動可能に支持する回転機構７５を構成している。
また、支持軸７２を介して連結されたスライド部材７０のベース部７１が、ガイド溝３６に沿ってスライドすることによって、配線カバー２が前後方向Ｄｆにスライド移動可能とされている。すなわち、ガイド溝３６及びスライド部材７０のベース部７１が、配線カバー２を、天板１１に沿い、かつ支持軸７２に交差する前後方向Ｄｆにスライド可能に支持するスライド機構７６を構成している。
【００５６】
また、図９に示すように、一対の側壁部３２，３２には、それぞれ、ガイド溝３６に対して前方の位置に、受け部材３７が一体に形成されている。この受け部材３７は、枠部材３において、幅方向Ｄｈの両端部に形成されている。
受け部材３７は、前後方向Ｄｆに延びるガイド部（ガイド部材）３７１と、ガイド部３７１の後端から下方に垂下する摺接部（摺接部材）３７２とが一体に形成されている。
【００５７】
図１２に示すように、ガイド部３７１は、配線カバー２が前方にスライドしたときに、前記の弾性閉塞カバー６０の突出片６８が上面３７１ｆを摺接する。図６に示すように、ガイド部３７１の上面３７１ｆは、弾性閉塞カバー６０の下面の形状を補形するよう、前後方向Ｄｆに延びて摘み部６３を支持する前部支持面３７３と、前後方向Ｄｆに延びて装着基部６１の下面を支持する後部支持面３７４と、前部支持面３７３と後部支持面３７４との間で前方に向かって斜め上方に延びて傾斜面６１ｆを支持する傾斜支持面３７５と、を備えている。
【００５８】
図５に示すように、摺接部３７２は、後部支持面３７４の後端部から垂下している。摺接部３７２は、配線カバー２が閉状態にあるときに、突出片６８に対し、支持軸７２を中心とした径方向において互いに対向するよう配置されている。摺接部３７２の上端部には、後方に向かって斜め下方に傾斜または湾曲した案内面３７２ａが形成されている。
【００５９】
図１３に示すように、このような摺接部３７２は、配線カバー２が支持軸７２周りに回動して開状態から閉状態に移行するとき、突出片６８（の下端部に形成された係止爪６８２）が摺動する。これにより、突出片６８と摺接部３７２との間に摩擦抵抗力が生じる。この摩擦抵抗力によって配線カバー２の回動速度が減速する。
また、突出片６８と摺接部３７２とが摺動すると、突出片６８（の下端部に形成された係止爪６８２の前端部６８２ａ）が摺接部３７２に押圧されて弾性変形する。突出片６８が弾性変形すると、元の形状に戻ろうとする復元力（反発力）が前方に向かって作用する。この復元力によって、突出片６８と摺接部３７２との間に生じる摩擦力が大きくなる。
ここで、突出片６８は、配線カバー２の自重による回転モーメントが作用したときに支持軸７２を中心とした径方向に弾性変形可能であるのが好ましい。このように構成することで、配線カバー２は、その自重のみによって閉じることが可能となる。
【００６０】
また、配線カバー２が支持軸７２周りに回動して開状態から閉状態に移行するとき、まず、突出片６８の下端部に形成された係止爪６８２が、摺接部３７２の上端部の案内面３７２ａに突き当たる。このとき、案内面３７２ａは、後方に向かって斜め下方に傾斜または湾曲しており、係止爪６８２の下面には、前端部６８２ａに向かって上方に傾斜した湾曲面６８２ｆが形成されている。これにより、係止爪６８２が摺接部３７２に引っ掛かるのを抑え、スムーズに閉方向（下方）に移動できるようになっている。さらに、係止爪６８２は、前端部６８２ａに向かって、上下方向Ｄｖの厚さが漸次小さくなるよう形成されているので、摺接部３７２に摺接したときに、容易に弾性変形し、配線カバー２の閉方向への回動を阻害しないようになっている。
【００６１】
図６に示すように、開状態から閉状態に移行するよう回動した配線カバー２が、幅方向Ｄｈの両側に設けられたガイド部３７１に突き当たると、完全に閉状態となる。このとき、摺接部３７２の下端に突出片６８の係止爪６８２が係合する。これにより、配線カバー２が閉状態にロックされる。
この閉状態において、配線カバー２は、前端部側が、幅方向Ｄｈの両側に設けられたガイド部３７１によって支持され、後端部側が、支持軸７２を介し、枠部材３に支持されている。
【００６２】
また、図１２に示すように、配線カバー２は、前後方向Ｄｆにスライドするときには、配線カバー２の後端部は、スライド部材７０が枠部材３に形成されたガイド溝３６に沿って前後方向Ｄｆにスライドする。また、配線カバー２の前端部は、突出片６８が、ガイド部３７１の上面の後部支持面３７４、傾斜支持面３７５、前部支持面３７３の上面に沿って摺接する。これによって、配線カバー２は、スライド中、全開状態よりも開度が小さい微開状態に維持される。
【００６３】
このように、配線カバー２が、支持軸７２に交差する方向である前後方向Ｄｆに沿って前方（天板１１の内方）に向かってスライドすると、配線カバー２のスライド方向後方に、把持部材挿通空間Ｓが形成される。このようにして、デスク１の天板１１を、壁面やパネル体Ｐ等に押し付けるように設置した場合であっても、配線カバー２を前方に向かってスライドさせれば、配線カバー２と、配線カバー２のスライド方向後方の壁面やパネル体Ｐとの間に、把持部材挿通空間Ｓを形成することができる。
【００６４】
上記配線カバー装置１０の下方には、トレー部材４が設けられている。
トレー部材４は、カバー用切欠き凹部１５の下方に設けられている。トレー部材４は、天板１１の下面に対向して形成され、その上面に物品を載置可能な物品載置部４１と、物品載置部４１において天板１１の外方を向く後方側に連続して形成され、上方に向かって立ち上がる立ち上がり壁部４２と、物品載置部４１の前端部から上方に向かって立ち上がる前部立ち上がり壁４４と、を備えている。立ち上がり壁部４２は、上方に向かって天板１１の外方を向く側に傾斜した傾斜面４３を有している。トレー部材４は、天板１１の下面に当接して固定されている。
【００６５】
図１４に示すように、このようなトレー部材４の傾斜面４３には、コンセント１００や、その他の接続コネクタ等を設けることができる。これにより、配線カバー２を開いた状態で、傾斜面４３に設けたコンセント１００に対し、天板１１上で用いる電子機器等の配線１０１の先端部に設けられた接続プラグ１０２を容易に接続することができる。
【００６６】
このようなトレー部材４は、天板１１の外方（後方）を向く側の後端部４ｒが、天板１１の後端１１ｒよりも、天板１１の内方（前方）にオフセットした位置に配置されている。これにより、トレー部材４は、カバー用切欠き凹部１５の内側において、トレー部材４の後端部４ｒの後方に、把持部材挿通空間Ｓを形成する。この把持部材挿通空間Ｓは、上記したようにして配線カバー２を前方にスライドさせたときに、その後方に形成されるものである。
【００６７】
次に、上記したようなデスク１に対し、オプション部材２００の取り付ける方法について説明する。すなわち、上記把持部材挿通空間Ｓを通して、オプション部材２００を天板１１に固定させるための把持部材２０１を、挿通させることができる。
デスク１に対し、オプション部材２００の取り付けるには、まず、図１５に示すように、配線カバー２を、支持軸７２に交差する方向に沿って天板１１の内方、すなわち前方に向かってスライドすることで、配線カバー２のスライド方向後方に、把持部材挿通空間Ｓを形成する。
【００６８】
次いで、形成された把持部材挿通空間Ｓに、オプション部材２００を天板１１に固定するための把持部材２０１を上方から下方に向かって挿入する（図１５中、矢印Ａ１）。
次に、把持部材２０１を、把持部材挿通空間Ｓからカバー用切欠き凹部１５に対して幅方向Ｄｈで隣接する天板１１の後端１１ｒに沿ってスライドさせる（図１５中、矢印Ａ２）。
【００６９】
把持部材２０１が、天板の後端１１ｒにおいて所望の位置に到達したら、図１２に示すように、クランプネジ２０２等を締め付けることで、把持部材２０１を、天板１１の後端１１ｒに固定する。
【００７０】
上述したような配線カバー装置１０は、天板１１の板厚方向に貫通するカバー用切欠き凹部１５に設けられ、カバー用切欠き凹部１５を開閉可能とする。この配線カバー装置１０は、カバー用切欠き凹部１５を開閉可能に塞ぐ配線カバー２と、カバー用切欠き凹部１５の周縁部に設けられ、配線カバー２を支持軸７２周りに回動可能に支持する枠部材３と、配線カバー２に形成され、天板１１の裏面側から離間する方向（下方）に向かって突出する突出片６８と、枠部材３に形成され、配線カバー２が支持軸７２周りに回動して開状態から閉状態に移行するときに突出片６８が摺動することで、配線カバー２の回動速度を減速させる摺接部３７２と、を備える。
このような構成によれば、配線カバー２が支持軸７２周りに回動して開状態から閉状態に移行するとき、突出片６８と摺接部３７２とが摺動することで、突出片６８と摺接部３７２との間に摩擦抵抗力が生じる。この摩擦抵抗力によって配線カバー２の回動速度が減速する。これによって、配線カバー２の閉動作を、スムーズなものとするとともに、配線カバー２が閉じるときに枠部材３等に衝突して、振動や騒音が生じるのを抑えることができる。その結果、配線カバー装置１０の動作を、高級感にあふれるものとすることができる。
【００７１】
また、突出片６８は、配線カバー２において、支持軸７２の軸線方向（幅方向Ｄｈ）の両端部に設けられるとともに、摺接部３７２は、枠部材３において、支持軸７２の軸線方向（幅方向Ｄｈ）の両端部に設けられている。このような構成によれば、配線カバー２が開状態であるとき、配線カバー２と枠部材３との隙間において、幅方向Ｄｈの内側の領域に突出片６８や摺接部３７２が張り出すことがなく、この隙間に配線等を通す際に邪魔になるのを抑えることができる。
【００７２】
また、突出片６８と摺接部３７２とは、配線カバー２が閉状態であるときに、支持軸７２を中心とした径方向において互いに対向するよう配置され、突出片６８は、支持軸７２を中心とした径方向に弾性変形可能である。このような構成によれば、配線カバー２が支持軸７２周りに回動して開状態から閉状態に移行するときに、突出片６８と摺接部３７２とが摺動すると、突出片６８が弾性変形する。突出片６８が弾性変形すると、元の形状に戻ろうとする復元力（反発力）によって、突出片６８と摺接部３７２との間に生じる摩擦力が大きくなる。これによって、配線カバー２の回動速度が、より効果的に減じられる。
【００７３】
また、突出片６８は、配線カバー２の自重が作用したときに径方向に弾性変形可能である。このような構成によれば、配線カバー２は、その自重のみによって閉じることが可能となる。したがって、配線カバー２を閉方向に押し込まずとも、配線カバー２が自動的に閉まることとなる。
【００７４】
また、突出片６８は、配線カバー２が閉状態であるときに、摺接部３７２に係合可能な係止爪６８２を有している。このような構成によれば、配線カバー２が閉状態となったときに、突出片６８の係止爪６８２が摺接部３７２に係合することで、配線カバー２を閉状態にロックすることができる。
【００７５】
また、枠部材３は、配線カバー２を天板１１に沿い、かつ支持軸７２に交差する方向にスライド可能に支持している。また、摺接部３７２は、配線カバー２のスライド方向に延びるガイド部３７１を有している。さらに、配線カバー２は、配線カバー２がスライド方向にスライドするときに、突出片６８がガイド部３７１に摺接する。
このような構成によれば、配線カバー２がスライドするときに、配線カバー２は、支持軸７２と、ガイド部３７１に摺接する突出片６８とによって、安定的に支持される。
【００７６】
また、ガイド部３７１は、配線カバー２が閉状態であるときに、配線カバー２に突き当たることで配線カバー２の閉方向への移動を規制する。このような構成によれば、閉状態の配線カバー２が、支持軸７２とガイド部３７１とによって強固に支持される。
【００７７】
また、配線カバー２がスライド方向にスライドするとき、配線カバー２は、突出片６８がガイド部３７１に摺接することで、全開状態よりも開度の小さい微開状態が保持される。このような構成によれば、配線カバー２をスライドするとき、配線カバー２を微開状態とすることで、配線カバー２と枠部材３との隙間に配線等を挿通させたままの状態とすることができる。
【００７８】
また、上述したようなデスクは、カバー用切欠き凹部１５が形成された天板１１と、カバー用切欠き凹部１５に開閉可能に設けられた配線カバー装置１０と、を備える。
このような構成によれば、配線カバー２の閉動作を、スムーズなものとするとともに、配線カバー２が閉じるときに枠部材３等に衝突して、振動や騒音が生じるのを抑えることができる。その結果、デスク１を、高級感にあふれるものとすることができる。
【００７９】
このようにして、上述の配線カバー装置１０、デスク１によれば、カバー用切欠き凹部１５を開閉する配線カバー２を閉じるときに生じる振動や騒音を、コストのかかる衝撃吸収ダンパー等を用いることなく、低コストで抑えることが可能となる。
【００８０】
（その他の実施形態）
なお、本発明の開閉蓋装置、天板付什器は、図面を参照して説明した上述の実施形態に限定されるものではなく、その技術的範囲において様々な変形例が考えられる。
例えば、上記実施形態では、突出片６８を弾性変形可能としたが、摺接部３７２を弾性変形可能に形成してもよい。
また、配線カバー装置１０を、天板１１に形成されたカバー用切欠き凹部１５に設けたが、天板１１以外の各種板状体、例えば壁体などに配線カバー装置１０を設けるようにしても良い。
また、配線カバー装置１０を設けたカバー用切欠き凹部１５は、天板１１の後端１１ｒに形成されているが、天板１１の側端や前端等、他の部位に形成されたものであってもよい。
さらに、配線カバー装置１０は、天板１１等の板状体の外周端部以外の内方に形成した開口部に設けるようにしても良い。
これ以外にも、本発明の主旨を逸脱しない限り、上記実施の形態で挙げた構成を取捨選択したり、他の構成に適宜変更したりすることが可能である。
【符号の説明】
【００８１】
１  デスク（天板付什器）
２  配線カバー（蓋本体）
３  枠部材
４  トレー部材
１０  配線カバー装置（開閉蓋装置）
１１  天板（板状体）
１１ａ  上面（作業面）
１１ｒ  後端（外周端部）
１５  カバー用切欠き凹部（開口部）
３６  ガイド溝
３７  受け部材
４１  物品載置部
４２  立ち上がり壁部
４３  傾斜面
６８  突出片
７０  スライド部材
７２  支持軸
７５  回転機構
７６  スライド機構
１００  コンセント
１０１  配線
２００  オプション部材
２０１  把持部材
３７１  ガイド部（ガイド部材）
３７１ｆ  上面
３７２  摺接部（摺接部材）
６８１  基部
６８２  係止爪
６８２ａ  前端部
６８２ｆ  湾曲面
Ｄｆ  前後方向
Ｄｈ  幅方向
Ｄｖ  上下方向
Ｆ  床面
Ｓ  把持部材挿通空間
【図１】
2018075112.tif 000003
【図２】
2018075112.tif 000004
【図３】
2018075112.tif 000005
【図４】
2018075112.tif 000006
【図５】
2018075112.tif 000007
【図６】
2018075112.tif 000008
【図７】
2018075112.tif 000009
【図８】
2018075112.tif 000010
【図９】
2018075112.tif 000011
【図１０】
2018075112.tif 000012
【図１１】
2018075112.tif 000013
【図１２】
2018075112.tif 000014
【図１３】
2018075112.tif 000015
【図１４】
2018075112.tif 000016
【図１５】
2018075112.tif 000017